(57)【要約】【課題】構成要素そのものの通気性を損なうことなく、この構成要素を重ね合わせて形成される物品全体としての通気性を改善した吸収性物品を提供することである。【解決手段】少なくとも透液性を有するトップシートと、該トップシートとバックシート間に介在する吸収体とを貼着する第１接着剤層と、前記吸収体と前記バックシートとを貼着する第２接着剤層と、前記バックシートと下着とを貼着する第３接着剤層とを有して成る吸収性物品において、前記吸収体の平面長手方向における前記第１接着剤層ないし前記第３接着剤層と重複しない位置に、空隙部を設ける。【選択図】図３
2004290427.tif 000002
【特許請求の範囲】
【請求項１】
少なくとも透液性を有するトップシートと、該トップシートとバックシート間に介在する吸収体とを貼着する第１接着剤層と、前記吸収体と前記バックシートとを貼着する第２接着剤層と、前記バックシートと下着とを貼着する第３接着剤層とを有して成る吸収性物品において、前記吸収体の平面長手方向における前記第１接着剤層ないし前記第３接着剤層と重複しない位置に、空隙部を設けたことを特徴とする吸収性物品。
【請求項２】
前記第１接着剤層ないし前記第３接着剤層は、吸収性物品本体の長手方向に延設されていることを特徴とする請求項１に記載の吸収性物品。
【請求項３】
前記空隙部は、前記吸収体の長手方向中央部ではその開口面積が大きく、各端部方向に向かって次第に小さく形成されていることを特徴とする請求項１又は請求項２に記載の吸収性物品。
【発明の詳細な説明】
【０００１】
【発明の属する技術分野】
本発明は、ショーツ等の下着の内側に貼着されて使用される生理用ナプキン、紙おむつ等の吸収性物品に関し、特に、通気性の面で優れた吸収性物品に関する。
【０００２】
【従来の技術】
従来、このような吸収性物品、例えば図１１に斜視図で示すような生理用ナプキン１００は、使用目的等により種々の形態の物品が知られているが、その基本構成は略同一であって、通常、透液性を有するトップシート１０１と、不透液性を有するバックシート１０２と、前記シート間に介在する吸収体１０３とにより物品本体１０４が形成され、この物品本体１０４の外側、すなわちバックシート１０２の外面には剥離シート１０５が貼着されている。なお、物品本体１０４の略中央部には略楕円凹状の体液溜部１０６が設けられ、この幅方向両側には、液漏れ防止用の立体ギャザー１０７が設けられている。
【０００３】
図１２は、図１１のＩ−Ｉ断面図で、この生理用ナプキン１００の詳細な層構成を示したものである。図示するように、この生理用ナプキン１００は、表面側、すなわち着用者の身体と接する側より順に不織布又は樹脂フィルム等から成る透液性のトップシート１０１、トップシート１０１と吸収体１０３を被覆している上部側のティッシュ１０８ａとを接着するための接着剤層１０９（以下、「第１接着剤層」と言う。）、綿状パルプや高分子ポリマー等から成る吸収体１０３、下部側のティッシュ１０８ｂと不織布等から成る不透液性のバックシート１０２を接着するための接着剤層１１０（以下、「第２接着剤層」と言う。）、バックシート１０２、バックシート１０２と剥離シート１０５を接着するための接着剤層１１１（以下、「第３接着剤層」と言う。）とから成っている。この剥離シート１０５は、第３接着剤層１１１の保護と共に、他の物への付着を防止するもので、使用時には物品本体１０４から剥ぎ取られ、第３接着剤層１１１がショーツ等の下着の内側に貼着されて生理用ナプキン１００が使用される。
【０００４】
なお、上述したような吸収体１０３に関し、従来、図１３に要部のみを平面図で示すように、吸収体１０３の厚み方向に貫通する空隙部１１２を複数個設け、吸収性能、及び肌触りの向上を図った吸収体１０３Ａを有する吸収性物品１００Ａ（図示せず）が公知である（例えば、特許文献１参照。）。
【０００５】
ところが、上述したような従来の吸収性物品、すなわち生理用ナプキン１００（あるいは吸収性物品１００Ａ）では、通常、図１４に示すように、トップシート１０１の内側に第１接着剤層１０９を形成する接着剤１１３、図１５に示すように、バックシート１０２の内側に第２接着剤層１１０を形成する接着剤１１４、図１６に示すように、バックシート１０２の外側に第３接着剤層１１１を形成する接着剤１１５は、各塗設位置及び形状とが夫々異なって配置されている。
【０００６】
このため、物品本体１０４を、トップシート１０１，吸収体１０３、バックシート１０２を順次重ねて構成したとき、上述したような接着剤１１３，１１４，１１５の塗設位置及び形状の相違に起因し、図１７に一部破断背面図で示すように、吸収体１０３の全面に渡って接着剤が塗設されることになる。この結果、図１２に矢印Ｘで示すように、生理用ナプキン１００のトップシート１０１側からバックシート１０２側に向かう垂直方向で空気が移動できず、物品本体１０４の通気性を阻害してしまうという問題があった。このように物品本体１０４の通気性が阻害されると、特に、この生理用ナプキン１００が夜用の生理用ナプキンなどの厚手のタイプである場合には、吸収体１０３に厚みがあるので、生理用ナプキン１００と身体の間に溜まった湿気や、身体から発生される熱を外部に放出できなかった。この結果、生理用ナプキン１００と身体の間に溜まった湿気や熱によりムレを生じていた。このムレは、排泄された体液が吸収体１０３の紙やパルプの繊維間に固定されていない体液として残るため、特に体液の排泄量が多い場合には、この固定されていない液から水蒸気が生ずることにより発生する。この結果、着用者に異臭等の不快感を与え、着用者の行動を阻害する原因ともなっていた。
【０００７】
従来、このような吸収性物品の通気性を向上させるために、例えば上記トップシート１０１及びバックシート１０２に通気性のよい素材、例えばポリエチレン等を用いることが提案され、実用化されている。しかし、このようにトップシート１０１及び／又はバックシート１０２の構成要素そのものに通気性を持たせても、上述したように物品本体１０４を組み立てる際に塗布される接着剤によって、通気性が阻害されてしまうことには変わりがなく、このような吸収性物品によっても、上述したような通気性の改善には至らなかった。
【０００８】
【特許文献１】
特開平５−２５３２５９号公報
【０００９】
【発明が解決しようとする課題】
本発明は、上述したような実情に鑑みてなされたもので、その目的は、構成要素そのものの通気性を損なうことなく、この構成要素を重ね合わせて形成される物品全体としての通気性を改善した吸収性物品を提供することである。
【００１０】
【課題を解決するための手段】
本発明の上記目的は、少なくとも透液性を有するトップシートと、該トップシートとバックシート間に介在する吸収体とを貼着する第１接着剤層と、前記吸収体と前記バックシートとを貼着する第２接着剤層と、前記バックシートと下着とを貼着する第３接着剤層とを有して成る吸収性物品において、前記吸収体の平面長手方向における前記第１接着剤層ないし前記第３接着剤層と重複しない位置に、空隙部を設けたことを特徴とする吸収性物品を提供することにより、達成される。
【００１１】
また、本発明の上記目的は、前記第１接着剤層ないし前記第３接着剤層は、吸収性物品本体の長手方向に延設されていることを特徴とする吸収性物品を提供することにより、より効果的に達成される。
【００１２】
さらにまた、本発明の上記目的は、前記空隙部は、前記吸収体の長手方向中央部ではその開口面積が大きく、各端部方向に向かって次第に小さく形成されていることを特徴とする吸収性物品を提供することにより、より一層効果的に達成される。
【００１３】
【発明の実施の形態】
以下、本発明の好ましい実施形態について、図面を参照しながら、詳細に説明する。
【００１４】
図１は、本発明の実施例に係る吸収性物品の一例である生理用ナプキン２００（図示せず）の体液溜部２０６をトップシート２０１側から見た時の一部破断平面図、図２は、体液溜部２０６をバックシート２０２側から見た時の一部破断背面図、図３は、図１のＩＩ−ＩＩ断面図である。なお、本生理用ナプキン２００は、トップシート２０１の内側に第１接着剤層２０９を形成する接着剤２１３、バックシート２０２の内側に第２接着剤層２１０を形成する接着剤２１４、及びバックシート２０２の外側に第３接着剤層２１１を形成する接着剤２１５の各塗設位置及び形状が、後述するように前記生理用ナプキン１００と異なっている点を除くその他の構成については、前記生理用ナプキン１００と実質的に同一である。このため、本生理用ナプキン２００では生理用ナプキン１００と対応する構成要素については、２００番台の対応する同一番号を付して説明する。
【００１５】
本発明に係る生理用ナプキン２００は、図３に示すように、従来の生理用ナプキン１００と同様に、トップシート２０１と、バックシート２０２と、前記シート間に介在し、ティッシュ２０８で全体を被覆された吸収体２０３とが、接着剤２１３，２１４で夫々貼着されて物品本体２０４（図示せず）が形成されている。また、この物品本体２０４の外面には、下着等を貼着するための接着剤２１５が塗設されている。
【００１６】
ここに、トップシート２０１には、体液を吸収体２０３へ透過させる透液性のシートであって、肌着に近い感触を有し、きめが細かく繊維密度が高い素材、例えば不織布等、若しくは液透過性や液戻り防止性に優れている素材、例えばポリエチレン、ポリプロピレン、又は酢酸ビニル重合体などから成る樹脂フィルム等が好ましく用いられる。
【００１７】
一方、バックシート２０２には、吸収体２０３に吸収された体液を外に透過させない不透液性のシートであって、透湿性を有する素材、例えばポリエチレンやポリプロピレン等のオレフィン系樹脂に無機充填材を溶融混練したものを、延伸処理した微多孔性シート等が好ましく用いられる。
【００１８】
また、吸収体２０３には、解繊ポリマーを主体とした高分子ポリマーを併用した物、熱可塑性樹脂、あるいはセルロース繊維等が好ましく用いられる。
【００１９】
図４は、吸収体２０３の上部側のティッシュ２０８ａを取り除いて見た平面図である。図示するように、吸収体２０３の幅方向中央部の長手方向には、複数個の空隙部２１２が設けられている。この空隙部２１２は透孔であって、吸収体２０３の長手方向中央部、すなわち排血口近傍に位置する空隙部２１２では、その開口面積が大きく各端部方向に向かってその開口面積が小さくなるように形成されている。なお、この空隙部２１２は透孔であることが好ましいが、盲孔であっても差し支えない。このように空隙部２１２を形成することにより、体液中の固形分を空隙部２１２に収容することができると共に、吸収体２０３の吸収面積を増加させることができるので、体液排泄後の着用感及び体液吸収速度を向上させることができるという効果がある。
【００２０】
本生理用ナプキン２００では、図５に示すように、トップシート２０１の内側に第１接着剤層２０９を形成する接着剤２１３、図６に示すように、バックシート２０２の内側に第２接着剤層２１０を形成する接着剤２１４、図７に示すように、バックシート２０２の外側に第３接着剤層２１１を形成する接着剤２１５の各塗設位置Ｐ及び直線ストライプ状の形状（幅）Ｗ１，Ｗ２が全て一致するように設けられている。このように接着剤２１３，２１４，２１５の塗設位置及び形状を全て一致させることにより、図３に矢印Ｙで示すように、垂直方向に空気の流路が形成される。
【００２１】
この吸収体２０３は、その空隙部２１２が、この空気の流路と重なるように、換言すれば、吸収体２０３の空隙部２１２と、第１接着剤層ないし第３接着剤層とが重ならないようにして物品本体２０４が組み立てられる。このように物品本体２０４を組み立てることにより、物品本体２０４の垂直方向に空気の流路ができ、垂直方向における空気の流れを阻害することのない領域２１６が形成される。従って、このように構成された本生理用ナプキン２００では、物品本体２０４と身体との間に溜まった湿気や熱をこの領域２１６を介して外部に放出することができるようになる。この結果、物品本体２０４の通気性が格段と向上され、ムレを防止することができると共に、ムレに起因して発生する臭いも防止することができる。
【００２２】
なお、本実施例において、接着剤２１３，２１４，２１５には、ホッメルト接着剤が使用されるが、本実施例は、このようなホットメルト接着剤に限らず、この他公知の接着剤を用いても適用できることは言うまでもない。
【００２３】
以上、本発明の内容を一実施例に基づき説明したが、本発明は構成上種々の変更が可能である。
【００２４】
図８は、本発明に係る吸収体の変更例を示す平面図である。図示するように、この吸収体２０３Ａには、長手方向中央部では開口面積が大きく、端部に向かって次第に小さく形成された矩形状の空隙部２１２Ａが設けられている。なお、この空隙部２１２Ａの平面形状は、例えば円形や三角形、或いは星型等の種々のものに変更することができる。
【００２５】
図９は、本発明に係るトップシート２０１の内側の第１接着剤層２０９Ａの変更例を示す。（変更部分は、符号にＡを付してある。）本変更例では、第１接着剤層２０９Ａを形成する接着剤２１３Ａが波線ストライプ状に塗設されている。なお、この接着剤の塗設形状は、この他スパイラル状等、物品本体の長手方向にストライプ状に延設されたものであれば、種々のものを適用することができる。
【００２６】
また、本変更例では、トップシート２０１をはじめ、これに重ね合わされる全構成要素が、図示するように、股間部位置で幅が狭められて物品本体が形成されている。このため、着用した時に着用者は股間部に違和感がなく、脚部を自由に動かすことができる。
【００２７】
なお、本発明においては、上述したように第１接着剤層ないし第３接着剤層の接着剤の塗設位置及び形状が全て一致していることが望ましいが、これを以下のように変更しても適用できる。
【００２８】
すなわち、図１０の断面図で示すように、第１接着剤層２０９Ｂを形成する接着剤２１３Ｂ、第２接着剤層２１０Ｂを形成する接着剤２１４Ｂ、第３接着剤層２１１Ｂを形成する接着剤層２１５Ｂの各塗設位置及び塗設形状（幅）は必ずしも一致していなくてもよく、空気の流れを阻害することのない領域２１６Ｂが形成されていれば、所望の目的を達成できる。
【００２９】
なお、上記実施例では、トップシートと吸収体の間にセカンドシートがない生理用ナプキンについて説明したが、上述したようにトップシート、セカンドシート、吸収体及びバックシート間に空気の流れを阻害することのない領域を形成させれば、トップシートと吸収体間にセカンドシートがあっても差し支えない。
【００３０】
また、本発明の内容を吸収性物品がウィングのない生理用ナプキンを例に説明したが、本発明はこのような生理用ナプキンに限らず、この他ウィング付の生理用ナプキン、テープ式の紙おむつ、パンツ型の紙おむつや尿取りパッド、あるいは失禁者用パンツ等の公知の吸収性物品についても適用できることはいうまでもない。
【００３１】
【発明の効果】
以上に詳述したように、本発明に係る吸収性物品は、吸収体本体の垂直方向に、空気の流れ良くする領域を形成するように構成されているので、吸収性物品と身体間に湿気が溜まることがなくなる。従って、本発明に係る吸収性物品によれば、ムレや臭いを防止することができ、着用者に快適感を与えることができる。
【図面の簡単な説明】
【図１】本発明の実施例に係る生理用ナプキンの要部である体液溜部をトップシート側から見た一部破断平面図である。
【図２】本発明の実施例に係る生理用ナプキンの要部である体液溜部をバックシート側から見た一部破断背面図である。
【図３】図１のＩＩ−ＩＩ断面図である。
【図４】本発明の実施例に係る吸収体の平面図である。
【図５】本発明の実施例に係るトップシートの内側の第１接着剤層の塗設位置及び形状を示す平面図である。
【図６】本発明の実施例に係るバックシートの内側の第２接着剤層の塗設位置及び形状を示す平面図である。
【図７】本発明の実施例に係るバックシートの外側の第３接着剤層の塗設位置及び形状を示す平面図である。
【図８】本発明の吸収体の変形例を示す平面図である。
【図９】本発明の第１接着剤層、第２接着剤層、第３接着剤層の変形例を示す平面図である。
【図１０】本発明の各接着剤層の接着剤の接着位置及び形状の変更例を示す断面図である。
【図１１】従来の生理用ナプキンの斜視図である。
【図１２】図１１のＩ−Ｉ断面図である。
【図１３】従来の吸収体の平面図である。
【図１４】従来のトップシートの内側の第１接着剤層の塗設位置及び形状を示す平面図である。
【図１５】従来のバックシートの内側の第２接着剤層の塗設位置及び形状を示す平面図である。
【図１６】従来のバックシートの外側の第３接着剤層の塗設位置及び形状を示す平面図である。
【図１７】従来の生理用ナプキンの要部である体液溜部をバックシート側から見た一部破断背面図である。
【符号の説明】
１０１，２０１      トップシート
１０２，２０２      バックシート
１０３，２０３      吸収体
１０４，２０４      生理用ナプキン本体
１０９，２０９      トップシートの内側の第１接着剤層
１１０，２１０      バックシートの内側の第２接着剤層
１１１，２１１      バックシートの外側の第３接着剤層
１１２，２１２      空隙部
１１３，２１３      トップシートの内側の第１接着剤層を形成する接着剤
１１４，２１４      バックシートの内側の第２接着剤層を形成する接着剤
１１５，２１５      バックシートの外側の第３接着剤層を形成する接着剤
【図１】
2004290427.tif 000003
【図２】
2004290427.tif 000004
【図３】
2004290427.tif 000005
【図４】
2004290427.tif 000006
【図５】
2004290427.tif 000007
【図６】
2004290427.tif 000008
【図７】
2004290427.tif 000009
【図８】
2004290427.tif 000010
【図９】
2004290427.tif 000011
【図１０】
2004290427.tif 000012
【図１１】
2004290427.tif 000013
【図１２】
2004290427.tif 000014
【図１３】
2004290427.tif 000015
【図１４】
2004290427.tif 000016
【図１５】
2004290427.tif 000017
【図１６】
2004290427.tif 000018
【図１７】
2004290427.tif 000019